(57)【特許請求の範囲】
【請求項１】
加工台とその上に載置された建材ボードの間，あるいは、前記加工台上に載置された複数の建材ボードの間に挟み込み可能な平板状の固定板，
長手方向と略直交する断面の上方が開放し、一方の側面の上縁側に前記固定板が取り付けられるとともに、長手方向の少なくとも一方の端部が開放した本体トラップ，
該本体トラップの開放した端部側に、前記本体トラップに沿って長手方向にスライド可能に取り付けられた少なくとも１つの延長トラップ，
を備えるとともに、
前記固定板が、回動機構によって前記本体トラップに対して回動可能に取り付けられるとともに、前記本体トラップの内側に収納可能な寸法に形成されていることを特徴とする建材ボードの加工屑回収補助具。
【請求項２】
加工台とその上に載置された建材ボードの間，あるいは、前記加工台上に載置された複数の建材ボードの間に挟み込み可能な平板状の固定板，
長手方向と略直交する断面の上方が開放し、一方の側面の上縁側に前記固定板が取り付けられるとともに、長手方向の少なくとも一方の端部が開放した本体トラップ，
該本体トラップの開放した端部側に、前記本体トラップに沿って長手方向にスライド可能に取り付けられた少なくとも１つの延長トラップ，
を備えるとともに、
前記延長トラップが前記本体トラップと重ならない側の端部を開放し、開放した端部に、回収用の袋ないし容器を吊り下げる吊下手段を設けたことを特徴とする建材ボードの加工屑回収補助具。
【請求項３】
加工台とその上に載置された建材ボードの間，あるいは、前記加工台上に載置された複数の建材ボードの間に挟み込み可能な平板状の固定板，
長手方向と略直交する断面の上方が開放し、一方の側面の上縁側に前記固定板が取り付けられるとともに、長手方向の少なくとも一方の端部が開放した本体トラップ，
該本体トラップの開放した端部側に、前記本体トラップに沿って長手方向にスライド可能に取り付けられた少なくとも１つの延長トラップ，
を備えるとともに、
前記延長トラップが前記本体トラップと重ならない側の端部を閉塞する端面を設けるとともに、該端面に、加工屑を吸引回収するための装置を接続する回収口を設けたことを特徴とする建材ボードの加工屑回収補助具。
【請求項４】
前記閉塞する端面が、前記延長トラップの端部に対して着脱可能であることを特徴とする請求項３記載の建材ボードの加工屑回収補助具。
【請求項５】
前記固定板が、回動機構によって前記本体トラップに対して回動可能に取り付けられるとともに、前記本体トラップの内側に収納可能な寸法に形成されていることを特徴とする請求項２〜４のいずれか一項に記載の建材ボードの加工屑回収補助具。
【発明の詳細な説明】
【技術分野】
【０００１】
本発明は、石膏ボードなどの建材ボードを切断する時などに発生する加工屑を回収するための回収補助具に関するものである。
【背景技術】
【０００２】
例えば、住宅の壁や天井の内装等に用いられる石膏ボードのような建材ボードは、建築現場において必要な寸法に切り出されるが、その際に、加工屑（切屑）が周囲に飛散してしまうため、作業終了後に清掃作業が必要となる。このような問題を解決する手段として、例えば、下記特許文献１に示す建築用建材ボード類の加工時ダスト・トラップがある。当該技術によれば、加工する建材ボード類と地面、床との間に、長尺塩ビ製のＵ字型トラップを接続して、散乱・飛散する小型切屑をトラップで受けることが開示されている。
【先行技術文献】
【特許文献】
【０００３】
【特許文献１】実用新案登録第３１０７５０１号公報
【発明の概要】
【発明が解決しようとする課題】
【０００４】
しかしながら、以上のような背景技術では、ダスト・トラップの長さの調節ができないため、加工対象の建材ボードの寸法によっては、長さの異なる複数のトラップを用意しなければならない。また、ダスト・トラップが長尺であるため、現場までの運搬や加工場所への取り付けが容易ではない場合もある。
【０００５】
本発明は、以上のような点に着目したもので、建材ボードの寸法に合わせて利用でき、運搬や加工時の取り付けが容易であって、収集した加工屑の回収も容易な建材ボードの加工屑回収補助具を提供することを、その目的とする。
【課題を解決するための手段】
【０００６】
本発明の建材ボードの加工屑回収補助具は、加工台とその上に載置された建材ボードの間，あるいは、前記加工台上に載置された複数の建材ボードの間に挟み込み可能な平板状の固定板，長手方向と略直交する断面の上方が開放し、一方の側面の上縁側に前記固定板が取り付けられるとともに、長手方向の少なくとも一方の端部が開放した本体トラップ，該本体トラップの開放した端部側に、前記本体トラップに沿って長手方向にスライド可能に取り付けられた少なくとも１つの延長トラップ，を備えるとともに、前記固定板が、回動機構によって前記本体トラップに対して回動可能に取り付けられるとともに、前記本体トラップの内側に収納可能な寸法に形成されていることを特徴とする。他の発明の建材ボードの加工屑回収補助具は、加工台とその上に載置された建材ボードの間，あるいは、前記加工台上に載置された複数の建材ボードの間に挟み込み可能な平板状の固定板，長手方向と略直交する断面の上方が開放し、一方の側面の上縁側に前記固定板が取り付けられるとともに、長手方向の少なくとも一方の端部が開放した本体トラップ，該本体トラップの開放した端部側に、前記本体トラップに沿って長手方向にスライド可能に取り付けられた少なくとも１つの延長トラップ，を備えるとともに、前記延長トラップが前記本体トラップと重ならない側の端部を開放し、開放した端部に、回収用の袋ないし容器を吊り下げる吊下手段を設けたことを特徴とする。
【０００７】
更に他の発明の建材ボードの加工屑回収補助具は、加工台とその上に載置された建材ボードの間，あるいは、前記加工台上に載置された複数の建材ボードの間に挟み込み可能な平板状の固定板，長手方向と略直交する断面の上方が開放し、一方の側面の上縁側に前記固定板が取り付けられるとともに、長手方向の少なくとも一方の端部が開放した本体トラップ，該本体トラップの開放した端部側に、前記本体トラップに沿って長手方向にスライド可能に取り付けられた少なくとも１つの延長トラップ，を備えるとともに、前記延長トラップが前記本体トラップと重ならない側の端部を閉塞する端面を設けるとともに、該端面に、加工屑を吸引回収するための装置を接続する回収口を設けたことを特徴とする。主要な形態の一つは、前記閉塞する端面が、前記延長トラップの端部に対して着脱可能であることを特徴とする。他の形態の一つは、前記固定板が、回動機構によって前記本体トラップに対して回動可能に取り付けられるとともに、前記本体トラップの内側に収納可能な寸法に形成されていることを特徴とする。本発明の前記及び他の目的，特徴，利点は、以下の詳細な説明及び添付図面から明瞭になろう。
【発明の効果】
【０００８】
本発明によれば、平板状の固定板と、長手方向に直交する断面の上方が開放しており前記固定板が取り付けられる本体トラップと、該本体トラップの少なくとも一端側に該本体トラップに沿って長手方向にスライド可能に取り付けられた延長トラップを備え、前記本体トラップ及び延長トラップによって加工屑を受けることとした。更に、
(1)前記固定板が、回動機構によって前記本体トラップに対して回動可能に取り付けられるとともに、前記本体トラップの内側に収納可能な寸法に形成されているか、
(2)前記延長トラップが前記本体トラップと重ならない側の端部を開放し、開放した端部に、回収用の袋ないし容器を吊り下げる吊下手段を設けるか、
(3)前記延長トラップが前記本体トラップと重ならない側の端部を閉塞する端面を設けるとともに、該端面に、加工屑を吸引回収するための装置を接続する回収口を設ける、
こととした。このため、延長トラップの引き出し程度によって回収補助具の全長が調整可能となり、建材ボードの寸法に合わせての利用が可能となる。また、延長トラップを収納すれば、運搬，使用場所での取り付け，収納が容易になるという効果が得られる。
【図面の簡単な説明】
【０００９】
【図１】本発明の実施例１の全体構成を示す外観斜視図である。
【図２】本発明の他の実施例を示す図である。
【発明を実施するための形態】
【００１０】
以下、本発明を実施するための形態を、実施例に基づいて詳細に説明する。
【実施例１】
【００１１】
最初に、図を参照しながら本発明の実施例１を説明する。図１は、本実施例の全体構成を示す外観斜視図である。図１に示すように、本実施例の加工屑回収補助具（以下「回収補助具」とする）１０は、加工台１２上に複数重ねて載置された石膏ボード１４の切断加工時に発生する切屑２６を収集するものであって、固定板１６と、本体トラップ１８と、延長トラップ２０及び２４により構成されている。前記固定板１６は、加工台１２と一番下の石膏ボード１４との間，あるいは、複数の石膏ボード１４の間に挟み込まれるもので、図示の例では、略長方形の平板状となっている。前記本体トラップ１８は、長手方向と直交する断面が略コ字状であって上方が開放しており、一方の側面１８Ｃの上縁側に、前記固定板１６が取り付けられている。
【００１２】
次に、一方の延長トラップ２０は、前記本体トラップ１８の一方の端部１８Ｂ側に設けられており、前記本体トラップ１８の底面及び側面に沿って図に矢印Ｆ１で示すようにスライド可能となっている。該延長トラップ２０の一方の端部２０Ａは開放しており、他方の端部（図の右側）は端面２２によって閉塞している。このような延長トラップ２２は、本体トラップ１８から最大に引き出したときに、抜け落ちることがないように、必要に応じて図示しないストッパ機構により抜け落ちが防止される。
【００１３】
他方の延長トラップ２４は、前記本体トラップ１８の他方の端部１８Ａ側に設けられており、前記延長トラップ２０と同様に、本体トラップ１８の底面及び側面に沿ってスライド可能となっている。該延長トラップ２４は、両端部２４Ａ，２４Ｂが開放しており、図示の例では、端部２４Ａの下方に、回収補助具１０で収集した切屑２６を回収するための回収袋２８が置かれている。該延長トラップ２４についても、前記延長トラップ２０と同様に、本体トラップ１８からの抜け落ち防止用のストッパ機構を設けてもよい。
【００１４】
以上のような固定板１６，本体トラップ１８，延長トラップ２０及び２４は、例えば、金属，プラスチックなどの公知の各種の材質によって形成することができる。また、前記固定板１６及び本体トラップ１８の長さは、例えば、１２００ｍｍであり、延長トラップ２０及び２４の長さはそれぞれ、例えば６００ｍｍ程度であって、これら延長トラップ２０及び２４を本体トラップ１８から最大に引き出したときに、端部同士がそれぞれ１００ｍｍ重なるようにすると、回収補助具１０は、石膏ボード１４の寸法が１２００ｍｍ〜２２００ｍｍのときに適用できる。
【００１５】
本実施例の回収補助具１０によれば、固定板１６を加工台１２と石膏ボード１４の間（あるいは、複数の石膏ボード１４間）に挟み込み、前記石膏ボード１４の長さに合わせて、延長トラップ２０及び２４を本体トラップ１８から引き出し、石膏ボード１４の切断加工時に発生する切屑２６を受ける。収集した切屑２６は、延長トラップ２４の端部２４Ａ側に置かれた回収袋２８に回収されて適宜処分される。このため、延長トラップ２０及び２４の引き出し程度によって回収補助具１０の全長が調整可能となり、石膏ボード１４の寸法に合わせて利用できるという効果がある。また、延長トラップ２０及び２４を収納すれば、全長が短くなるため加工場所への運搬が容易となる。更に、固定板１６の長さが、石膏ボード１４に対して短いため、加工台１２と石膏ボード１４間への取り付けも容易となる。
【００１６】
なお、本発明は、上述した実施例に限定されるものではなく、本発明の要旨を逸脱しない範囲内において種々変更を加え得ることができる。例えば、以下のものも含まれる。
(1)前記実施例で示した形状，寸法は一例であり、必要に応じて適宜変更してよい。例えば、前記実施例では、本体トラップ１８及び延長トラップ２０，２４の断面形状を略コ字状としたが、略Ｕ字状にするなどである。材質についても同様に、公知の各種の素材が利用可能である。
(2)前記実施例では、本体トラップ１８の両端側に延長トラップ２０，２４を設けることとしたが、いずれか片方のみを設けるようにしてもよい。また、延長トラップ２０，２４は、状況に応じて付け替えて使用してもよい。
【００１７】
(3)前記実施例では、本体トラップ１８に対して固定板１６が折り曲げ不能に取り付けられていたが、図２(A)に示す例のように、本体トラップ側面１８Ｃの上縁側に設けられた回動機構３０によって、本体トラップ１８の内側に折り曲げ可能な構成としてもよい。このとき、固定板１６を本体トラップ１８の内側に収納可能な寸法に設定しておくことにより、運搬がいっそう容易になるとともに、収納スペースの削減も可能である。
(4)前記実施例では、延長トラップ端部２４Ａの下方に回収袋２８を置いて、集めた切屑２６を回収することとしたが、図２(B)に示す例のように、延長トラップ端部２４Ａに一組のフック３２Ａ，３２Ｂを設けて、取手付きの回収袋２８Ａやその他の回収容器を吊り下げ利用することも可能である。
【００１８】
(5)前記実施例では、延長トラップ２４の端部２４Ａを開放する構成としたが、これも一例であり、図２(C)に示す例のように、端部２４Ａを着脱可能な端面カバー２５で閉塞し、該端面カバー２５の下方寄りに、略円筒状の回収口３４を設け、該回収口３４に集塵機（掃除機）のゴムホース３６などを接続して、切屑２６を吸引回収してもよい。前記端面カバー２５としては、ゴム製のシートなどが利用される。また、前記端面カバー２５を、延長トラップ２４と一体に形成してもよい。
(6)前記実施例では、建材ボードの一例として石膏ボード１４を例に挙げたが、これも一例であり、本発明は、他の公知の各種の建材ボード（例えば、ケイ酸カルシウム板やベニヤ板など）に適用可能である。また、石膏ボードの切屑以外にも、他の公知の各種の加工により生じる加工屑の回収補助全般に適用可能である。
(7)前記実施例を組み合わせてもよく、それらも本発明に含まれる。
【産業上の利用可能性】
【００１９】
本発明によれば、平板状の固定板と、長手方向に直交する断面の上方が開放しており前記固定板が取り付けられる本体トラップと、該本体トラップの少なくとも一端側に該本体トラップに沿って長手方向にスライド可能に取り付けられた延長トラップを備え、前記本体トラップ及び延長トラップによって加工屑を受けることとした。更に、
(1)前記固定板が、回動機構によって前記本体トラップに対して回動可能に取り付けられるとともに、前記本体トラップの内側に収納可能な寸法に形成されているか、
(2)前記延長トラップが前記本体トラップと重ならない側の端部を開放し、開放した端部に、回収用の袋ないし容器を吊り下げる吊下手段を設けるか、
(3)前記延長トラップが前記本体トラップと重ならない側の端部を閉塞する端面を設けるとともに、該端面に、加工屑を吸引回収するための装置を接続する回収口を設ける、
こととした。このため、延長トラップの引き出し程度によって回収補助具の全長が調整可能となるため、建材ボードの加工屑の回収補助具の用途に適用できる。
【符号の説明】
【００２０】
１０：加工屑回収補助具（回収補助具）
１２：加工台
１４：石膏ボード
１６：固定板
１８：本体トラップ
１８Ａ，１８Ｂ：端部
１８Ｃ：側面
２０，２４：延長トラップ
２０Ａ，２４Ａ，２４Ｂ：端部
２２：端面
２５：端面カバー
２６：切屑
２８，２８Ａ：回収袋
３０：回動機構
３２Ａ，３２Ｂ：フック
３４：回収口
３６：ゴムホース
【図１】
0005713313.tif 000002
【図２】
0005713313.tif 000003